(57)【要約】【課題】  二段四列の用紙片を使って多数頁が連接した折丁を提供する。【解決手段】  最右列から第１〜４列の二段四列の用紙において、まず、第１列に存する用紙片の表面を第１の折線で列方向に谷折し、第１列及び第２列に存する用紙片を重ね合わせつつ、第１列の裏面を、第３列に存する用紙片に対して谷折りして、第１の折線に沿って仮接着し、続いて、第１段に存する用紙片と第２段に存する用紙片と表側で谷折りする。それをさらに列方向に谷折りして、第１段に存する用紙片と第２段に存する用紙片とを切り離す。これにより、第１〜３列の用紙片が各段それぞれで巻折りされて同時に二つの袋綴じが作製される。【選択図】  図１
2008296529.tif 000002
【特許請求の範囲】
【請求項１】
最右列から第１〜４列の二段四列の用紙片を折加工して折丁を作製する折丁作製方法であって、
第１列に存する用紙片の表面を第１の折線で列方向に谷折りする工程と、
第１列及び第２列に存する用紙片を重ね合わせつつ、第１列の裏面を、第３列に存する用紙片に対して谷折りして、第１の折線に沿って仮接着する工程と、
第１段に存する用紙片と第２段に存する用紙片と表側で谷折りする工程と、
列方向に谷折りする工程と、
第１段に存する用紙片と第２段に存する用紙片とを切り離す工程と
を含むことを特徴とする折丁作製方法。
【請求項２】
最右列から第１〜４列の二段四列の用紙片を折加工して折丁を作製する折丁作製方法であって、
第１列に存する用紙片の表面を第１の折線で列方向に谷折りする工程と、
第１列及び第２列に存する用紙片を重ね合わせつつ、第１列の裏面を、第３列に存する用紙片に対して谷折りする工程と、
第１段に存する用紙片と第２段に存する用紙片と表側で谷折りする工程と、
列方向に谷折りする工程と、
第１段に存する用紙片と第２段に存する用紙片とを切り離す工程と
を含むことを特徴とする折丁作製方法。
【請求項３】
列方向に隣接する用紙片において、右側の列における用紙片の幅は、左側の列における用紙片の幅よりも狭いことを特徴とする請求項１又は２に記載の折丁作製方法。
【発明の詳細な説明】
【技術分野】
【０００１】
本発明は、雑誌類等に用いられる折丁の技術分野に属し、詳しくは、二段四列の用紙片を使って折丁を作製する方法に関する。
【背景技術】
【０００２】
従来、雑誌や書籍等の製本にあたっては、刷本を折った折丁が用いられており、二段複数列の用紙片を折加工してなる折丁を用いることも行われている。また、店頭での立ち読みを防止するため、袋綴じが一般的に広く採用されている。そして、二段四列の用紙片を折加工して折丁を作製するにあたっては、袋綴じを構成させる方法も提案されている。
【０００３】
【特許文献１】特開２００６−３３４９５８号公報
【発明の開示】
【発明が解決しようとする課題】
【０００４】
従来の二段四列の用紙片を用いて袋綴じを作製する場合、袋綴じを構成する頁はせいぜい２頁分程度であって、より長く連接した頁で袋綴じを構成したものは提案されておらず、細長い印刷を要求されるデザインには不向きであった。また、袋綴じ構造をとらなくとも、多数の頁が連接した細長い用紙片を有する折丁はこれまでに提案されていない。そこで本発明は、二段四列の用紙片を使って多数頁が連接した折丁を提供することを目的とする。
【課題を解決するための手段】
【０００５】
本発明に係る折丁作製方法は、最右列から第１〜４列の二段四列の用紙片を折加工して折丁を作製する折丁作製方法であって、第１列に存する用紙片の表面を第１の折線で列方向に谷折りする工程と、第１列及び第２列に存する用紙片を重ね合わせつつ、第１列の裏面を、第３列に存する用紙片に対して谷折りして、第１の折線に沿って仮接着する工程と、第１段に存する用紙片と第２段に存する用紙片と表側で谷折りする工程と、列方向に谷折りする工程と、第１段に存する用紙片と第２段に存する用紙片とを切り離す工程とを含むことを特徴とする。
【０００６】
この折丁作製方法によれば、第１〜３列の用紙片が各段それぞれで巻折りされ、かつその二つの巻折りされた用紙片が重ね合わされている。しかも、第１列と第３列の用紙片は仮接着されているため、第１〜３列の用紙片により構成される袋綴じが同時に二つ構成される。その仮接着された頁を分離すれば、三頁分の連接した用紙片が連続して二部展開することとなる。したがって、二段四列の用紙片を使って多数頁が連接した折丁を提供することができる。
【０００７】
または、本発明に係る折丁作製方法は、最右列から第１〜４列の二段四列の用紙片を折加工して折丁を作製する折丁作製方法であって、第１列に存する用紙片の表面を第１の折線で列方向に谷折りする工程と、第１列及び第２列に存する用紙片を重ね合わせつつ、第１列の裏面を、第３列に存する用紙片に対して谷折りする工程と、第１段に存する用紙片と第２段に存する用紙片と表側で谷折りする工程と、列方向に谷折りする工程と、第１段に存する用紙片と第２段に存する用紙片とを切り離す工程とを含むことを特徴とする。
【０００８】
この折丁作製方法によれば、第１〜３列の用紙片が各段それぞれで巻折りされ、かつその二つの巻折りされた用紙片が重ね合わされている。したがって、巻折りされた用紙片を開けば、三頁分の連接した用紙片が連続して二部展開することとなる。そのため、二段四列の用紙片を使って多数頁が連接した折丁を提供することができる。
【０００９】
このような折丁作製方法では、列方向に隣接する用紙片において、右側の列における用紙片の幅は、左側の列における用紙片の幅よりも狭く構成させるとよい。これにより、列方向に隣接する用紙片において、右側の列における用紙片から左側の列における用紙片へ折畳んだとき、左側の列における用紙片には、右側の列における用紙片とは重ならない余部が存在するため、その余部を本の喉部や中綴じ部に利用することができる。
【発明の効果】
【００１０】
本発明によれば、二段四列の用紙片を使って多数頁が連接した折丁を提供することができる。
【発明を実施するための最良の形態】
【００１１】
以下、図面を参照しながら、本発明に係る折丁作製方法の好適な実施形態について説明する。
【００１２】
図１は、折丁を作製するための用紙１における表面の展開図である。図１に示すように、この用紙１は、最右列から第１〜４列の二段四列の用紙片を有する。第１列の用紙片は、第１段目が「表(1) 」で示した用紙片であり、第２段目が「表(5) 」で示した用紙片であって、それらの用紙片の幅は、長さａである。第２列の用紙片は、第１段目が「表(2) 」で示した用紙片であり、第２段目が「表(6) 」で示した用紙片であって、それらの用紙片の幅は、長さｂである。第３列の用紙片は、第１段目が「表(3) 」で示した用紙片であり、第２段目が「表(7) 」で示した用紙片であって、それらの用紙片の幅は、長さｃである。また、第４列の用紙片は、第１段目が「表(4) 」で示した用紙片であり、第２段目が「表(8) 」で示した用紙片であって、それらの用紙片の幅は、長さｄである。そして、各用紙片の長さａ〜ｄは次の関係式１に示す関係にある。また、破線は折線を示しており、折線によって各用紙片が区画されている。
ａ＜ｂ＜ｃ＜ｄ        （関係式１）
【００１３】
まず、第１列の用紙片「表(1) 」「表(5) 」を第２列の用紙片「表(2) 」「表(6) 」へ向けて第１の折線２で列方向に谷折りする。すると、図２に示すように、第１列の用紙片「表(1) 」「表(5) 」は、裏面「裏(1) 」「裏(5) 」を見せて、第２列の用紙片「表(2) 」「表(6) 」に折り重なる。続いて、第１列の用紙片の裏面「裏(1) 」「裏(5) 」の縁部において、第１の折線２に沿って仮接着剤４を塗布し、仮接着剤４が第２の折線３と線対象となる領域６に仮接着されるように、第１列及び第２列に存する用紙片を重ね合わせつつ、第１列の用紙片の裏面「裏(1) 」「裏(5) 」を、第３列の用紙片「表(3) 」「表(7) 」に対して谷折りする。
【００１４】
すると図３に示すように、第２列の用紙片の裏面「裏(2) 」「裏(6) 」が現れる。さらに、段を区画する第３の折線７に沿って、第２段目の用紙片を第１段目の用紙片に向けて表側で谷折りする。すると、図４に示すように、第２段目の用紙片の裏面「裏(7) 」「裏(8) 」が現れる。この状態でさらに、用紙片の裏面「裏(7) 」「裏(8) 」の境界である第４の折線８に沿って、裏面「裏(7) 」を「裏(8) 」に向けて列方向に谷折りする。
【００１５】
すると、図５に示すように、用紙片「表(3) 」の裏面「裏(3) 」が現れる。この状態で、下辺に沿った切り取り線９で切り取り、第１段の用紙片と第２段の用紙片とを切り離す。
【００１６】
このようにして得られた折丁１０は、第４の折線８（図４参照）で、単独で中綴じして小冊子を作製してもよく、あるいは、他の頁と共に中綴じして製本してもよい。また、各用紙片の幅ａ〜ｄは、関係式１のごとくであるから、第４の折線８付近は、第１〜３列の用紙片によって構成された袋綴じが直接重ね合わされず余部ができるため、第４の折線８付近を本の喉部として利用することができる。したがって、第４の折線８付近を本の喉部として、単独であるいは他の頁と共に製本することができる。なお、上述した折丁１０の作製には、オフセット機等を用いるとよい。
【００１７】
この折丁１０においては、第１〜３列の用紙片が各段それぞれで巻折りされ、かつその二つの巻折りされた用紙片が重ね合わされている。しかも、第１列と第３列の用紙片は仮接着剤４によって仮接着されているため（図２参照）、第１〜３列の用紙片により構成される袋綴じが同時に二つ構成される。そして、その仮接着された頁を分離すれば、第１〜３列の用紙片による三頁分の連接した用紙片が連続して二部展開することとなるため、連続した六頁分を同時に見ることができる。したがって、袋綴じを構成する用紙片に、有名人の全身写真や風景等のパノラマ写真、カレンダー等を印刷し、ポスターとして利用することも可能となる。
【００１８】
なお、本発明は、上記実施形態に限られない。
【００１９】
上記実施形態では、第１列の用紙片の「裏(1) 」「裏(5) 」と第３列の用紙片「表(3) 」「表(7) 」とを仮接着したが（参照図２）、あえて仮接着をしなくともよい。この場合、袋綴じは構成されないが、巻折りされた第１〜３列の用紙片を開けば、三頁分の連接した用紙片が連続して二部展開し、連続した六頁分を同時に見ることができる点は、上記実施形態と同様である。
【００２０】
また、上記実施形態において、各用紙片の長さａ〜ｄは関係式１のような関係にあるとしたが、本の喉部や中綴じ部とするための余部を適宜設定するために、列方向に隣接するいずれか二列の用紙片における幅の大小関係について、右側の列における用紙片の幅を、左側の列における用紙片の幅よりも狭くしてもよい。また、折丁１０を中綴じする場合には、強いて関係式１とする必要はなく、例えば各用紙片の長さａ〜ｄを同じ長さとしてもよい。
【図面の簡単な説明】
【００２１】
【図１】本実施形態における折丁の展開図である。
【図２】第１列の用紙片が第２列の用紙片へ向けて谷折りされた様子を示す図である。
【図３】第１，２列の用紙片が第３列の用紙片へ向けて谷折りされた様子を示す図である。
【図４】第２段の用紙片が第１段の用紙片へ向けて谷折りされた様子を示す図である。
【図５】折丁において第１段の用紙片と第２段の用紙片とを切断する様子を示す図である。
【符号の説明】
【００２２】
１…用紙、２…第１の折線、３…第２の折線、４…仮接着剤、６…仮接着される領域、７…第３の折線、８…第４の折線、９…切り取り線、１０…折丁。
【図１】
2008296529.tif 000003
【図２】
2008296529.tif 000004
【図３】
2008296529.tif 000005
【図４】
2008296529.tif 000006
【図５】
2008296529.tif 000007